(57)【特許請求の範囲】
【請求項１】
液晶ディスプレイ（ＬＣＤ）のロックアップを防止する装置であって：
ＬＣＤと；
静電気放電（ＥＳＤ）が該ＬＣＤに印加されたか否かを、該ＬＣＤにＥＳＤが印加されるときに、該ＬＣＤのピン中、電圧レベルの変化が一番大きい該ＬＣＤの単一の特定ピンをモニターすることによって検出する静電気放電（ＥＳＤ）検出部と；
該ＥＳＤ検出部からのリセット制御信号出力に従って、該ＬＣＤをリセットする基底帯域チップセットと、を備える、装置。
【請求項２】
前記ＥＳＤ検出部が：
前記ＬＣＤの前記特定ピンに入力されるアナログ電圧をディジタル電圧に変換するアナログ−ディジタル変換器と；
該ディジタル電圧が所定の範囲に属するか否かを確認して該確認に基づき該ＬＣＤにＥＳＤが印加されたか否かを判断する判断ロジックと、を備える、請求項１に記載の装置。
【請求項３】
前記所定の範囲が、前記ＬＣＤにＥＳＤが印加されなかった正常の状態で、前記特定ピンが有し得る電圧レベルの範囲である、請求項２に記載の装置。
【請求項４】
前記単一の特定ピンが明るさを調節するピンである、請求項１に記載の装置。
【請求項５】
液晶ディスプレイ（ＬＣＤ）のロックアップを防止する装置であって：
該ＬＣＤの単一の特定ピンへの電圧入力をモニターし、該モニターされた電圧を基に静電気放電（ＥＳＤ）が該ＬＣＤに印加されたか否かを検出する静電気放電（ＥＳＤ）検出部であって、ここで、該ＬＣＤにＥＳＤが印加されるときに、該単一の特定ピンが、該ＬＣＤのピン中、電圧レベルの変化が一番大きいピンである、検出部と；
該ＥＳＤ検出部からのリセット制御信号出力に従って、前記ＬＣＤをリセットする基底帯域チップセットと、を備える、装置。
【請求項６】
前記ＥＳＤ検出部が：
前記特定ピンへの電圧入力をディジタル電圧に変換するアナログ−ディジタル変換器と；
該ディジタル電圧が、前記ＬＣＤが正常の状態にある所定の範囲にあるか否かを確認し、該ディジタル電圧が、該所定の範囲に属しないとき、該ＬＣＤにＥＳＤが印加されたことを決定する判断ロジックと、を備える、請求項５に記載の装置。
【請求項７】
前記単一の特定ピンが明るさを調節するピンである、請求項５に記載の装置。
【請求項８】
液晶ディスプレイ（ＬＣＤ）のロックアップを防止する装置であって：
ＬＣＤと；
該ＬＣＤの単一の特定ピンへのアナログ電圧をディジタル電圧に変換するアナログ−ディジタル変換器であって、ここで、該ＬＣＤに静電気放電（ＥＳＤ）が印加されるとき、該単一の特定ピンが、該ＬＣＤのピン中、電圧レベルの変化が一番大きいピンである、アナログ−ディジタル変換器と；
該ディジタル電圧が、該ＬＣＤが正常な状態にある所定の範囲に属するか否かを確認することによって該ＬＣＤにＥＳＤが印加されたか否かを判断する判断ロジックと；
該判断ロジックの制御下にある、該ＬＣＤをリセットする基底帯域チップセットと、を備える、装置。
【請求項９】
前記単一の特定ピンが明るさを調節するピンである、請求項８に記載の装置。
【請求項１０】
液晶ディスプレイ（ＬＣＤ）のロックアップを防止する方法であって：
ＬＣＤの単一の特定ピンのアナログ電圧をディジタル電圧に変換する工程と；
該ディジタル電圧を基に静電気放電（ＥＳＤ）が該ＬＣＤに印加されたか否かを確認する工程と；
該ＬＣＤにＥＳＤが印加された場合に該ＬＣＤをリセットする工程とを包含し、
ここで、該単一の特定ピンが、該ＬＣＤのピン中、ＥＳＤによる電圧レベルの変化が一番大きいピンである、方法。
【請求項１１】
前記ＥＳＤがＬＣＤに印加されたか否かを確認する工程が、
前記ディジタル電圧が、前記所定の範囲に属するかを確認することと、
該ディジタル電圧が前記所定の範囲に属する場合にＥＳＤが印加されなかったことを決定すること、そして該ディジタル電圧が前記所定の範囲に属しない場合にＥＳＤが印加されたことを決定することと、を包含する、請求項１０に記載の方法。
【請求項１２】
前記所定の範囲が、前記特定ピン上の電圧が前記ＬＣＤにＥＳＤが印加されなかった状態にある電圧レベル範囲である、請求項１１に記載の方法。
【請求項１３】
液晶ディスプレイ（ＬＣＤ）のロックアップを防止する方法であって：
ＬＣＤの単一のピン上の電圧をモニターする工程と；
該モニターされた電圧に基づき、該ＬＣＤに静電気放電（ＥＳＤ）が印加されたか否かを決定する工程と；
該ＬＣＤにＥＳＤが印加された場合に該ＬＣＤをリセットする工程と、を包含し、
ここで、該単一のピンが、該ＬＣＤのピン中、ＥＳＤによる電圧レベルの変化が一番大きいピンである、方法。
【請求項１４】
前記モニターされた電圧が所定の範囲に属するか否かに基づき、該ＬＣＤにＥＳＤが印加されたか否かが決定される、請求項１３に記載の方法。
【請求項１５】
前記モニターされた電圧が所定の範囲に属しない場合に、前記ＬＣＤにＥＳＤが印加されたことが決定される、請求項１４に記載の方法。
【請求項１６】
液晶ディスプレイ（ＬＣＤ）のロックアップを防止する装置であって：
ＬＣＤと；
該ＬＣＤにＥＳＤが印加されたか否かを検出するために該ＬＣＤの複数のピンの中の唯一のピンをモニターするための静電気放電（ＥＳＤ）検出部と；
該ＥＳＤ検出部からのリセット制御信号出力に従って該ＬＣＤをリセットするための基底帯域チップセットと、を備え、
ここで、該唯一のピンが、該ＬＣＤにＥＳＤが印加されるとき、該ＬＣＤのピン中、電圧レベルの変化が一番大きい該ＬＣＤの特定ピンである、装置。
【請求項１７】
前記ＥＳＤ検出部が：
前記ＬＣＤの特定ピンに入力されるアナログ電圧をディジタル電圧に変換するアナログ−ディジタル変換器と；
該ディジタル電圧が所定の範囲に属するか否かを確認し、該確認に基づき該ＬＣＤにＥＳＤが印加されたか否かを決定する判断ロジックと、を備える、請求項１６に記載の装置。
【請求項１８】
前記所定の範囲が、前記特定ピン上の電圧が前記ＬＣＤにＥＳＤが印加されなかった正常の状態である電圧レベル範囲である、請求項１７に記載の装置。
【請求項１９】
前記唯一の特定ピンが明るさを調節するピンである、請求項１６に記載の装置。
【発明の詳細な説明】
【０００１】
【発明の属する技術分野】
本発明は、移動端末機に関し、詳しくは、移動端末機ＬＣＤのロックアップ（Ｌｏｃｋ−ｕｐ）防止装置及びその方法に関する。
【０００２】
【従来の技術】
一般に、液晶表示装置（Ｌｉｑｕｉｄ  Ｃｒｙｓｔａｌ  Ｄｉｓｐｌａｙ、以下、ＬＣＤと略称す）は、二つの薄いガラス板間に固体と液体との中間物質の液晶を注入した後、上下ガラス板上の電極の電圧差により液晶分子の配列を変化させることで、明暗を発生させて数字及び映像を表示する一種の光スイッチ現象を利用した素子である。
【０００３】
かつて、ＬＣＤは、７０年代には時計及び電子計算機に使用されたが、現在は、先進情報機器及び映像機器に不可欠なディスプレイ装置となっており、その容積が薄くて軽く、電力の消耗量も少ないため、ノートブックコンピュータ及び移動電話機などの携帯型情報端末機に適合したディスプレイ用装置となっている。
【０００４】
従って、移動端末機のＬＣＤに対する重要性は継続増加されて、近来、ますます大型化及び複雑化されているが、そのＬＣＤは静電気放電（Ｅｌｅｃｔｒｏ−Ｓｔａｔｉｃ  Ｄｉｓｃｈａｒｇｅ；以下、ＥＳＤと略称す）に脆弱で、移動端末機のＬＣＤがＥＳＤにより動作不能状態（Ｌｏｃｋ−ｕｐ）になった時、これを復旧して、ＬＣＤを正常に動作させる方法が要求されている。
【０００５】
このような移動端末機のＬＣＤのロックアップ（Ｌｏｃｋ−ｕｐ）防止方法は、移動端末機のＬＣＤの各ピンに接続されるラインに、ＥＳＤの流入を防止するためのＴＶＳ（Ｔｒａｎｓｉｅｎｔ  Ｖｏｌｔａｇｅ  Ｓｕｐｐｒｅｓｓｉｏｎ）ダイオードが備えられるハードウェア的方法と、ＬＣＤを周期的にリセットするソフトウェア的方法と、に大別されている。
【０００６】
そして、従来の移動端末機ＬＣＤのロックアップ（Ｌｏｃｋ−ｕｐ）防止装置においては、図３に示したように、映像をディスプレイするＬＣＤ１０と、ＬＣＤ１０のディスプレイ動作を制御する基底帯域チップセット２０と、ＬＣＤ１０に入力される各電圧をリミッティング（ｌｉｍｉｔｔｉｎｇ）する第１乃至第６ＴＶＳダイオードＴＶＳ１−ＴＶＳ６と、から構成されていた。
【０００７】
且つ、上記第１ＴＶＳダイオードＴＶＳ１は、ＬＣＤ１０の内部で昇圧されるために入力される電圧及び明るさの調節電圧をリミッティングし、上記第２ＴＶＳダイオードＴＶＳ２は、上記基底帯域チップセット２０から上記ＬＣＤ１０に入力されるデータのレベルをリミッティングし、上記第３ＴＶＳダイオードＴＶＳ３は、上記基底帯域チップセット２０から上記ＬＣＤ１０に入力されるクロックのレベルをリミッティングし、上記第４ＴＶＳダイオードＴＶＳ４は、上記基底帯域チップセット２０から上記ＬＣＤ１０に入力されるアドレスのレベルをリミッティングする。
【０００８】
又、上記第５ＴＶＳダイオードＴＶＳ５は、上記基底帯域チップセット２０から上記ＬＣＤ１０に入力されるチップ選択信号（Ｃｈｉｐ  Ｓｅｌｅｃｔ  ｓｉｇｎａｌ）のレベルをリミッティングし、上記第６ＴＶＳダイオードＴＶＳ６は、上記基底帯域チップセット２０から上記ＬＣＤ１０に入力されるリセット信号（Ｒｅｓｅｔ  ｓｉｇｎａｌ）のレベルをリミッティングする。
【０００９】
即ち、従来の移動端末機のＴＶＳダイオードを利用したＬＣＤのロックアップ（Ｌｏｃｋ−ｕｐ）防止装置は、上記ＬＣＤ１０の各ピンに入力される電圧をリミッティングすることで、ＬＣＤ１０がＥＳＤによりロックアップ（Ｌｏｃｋ−ｕｐ）されることを防止していた。
【特許文献１】
大韓民国特許登録番号第０１６３８７７号
【特許文献２】
大韓民国特許出願公開第２０００−００６００４２号
【特許文献３】
大韓民国特許出願公開第２０００−００２５５５８号
【特許文献４】
大韓民国特許出願公開第２０００−００１５３０８号
【００１０】
【発明が解決しようとする課題】
然るに、このような従来のＴＶＳダイオードを利用したＬＣＤのロックアップ（Ｌｏｃｋ−ｕｐ）防止装置においては、ＬＣＤの各ピンに入力されるライン毎にＴＶＳダイオードを具備しなければならないために、小型化傾向の移動端末機には適合しないという不都合な点があった。
【００１１】
又、従来の移動端末機ＬＣＤのロックアップ（Ｌｏｃｋ−ｕｐ）を防止するために、ソフトウェア的ＬＣＤを周期的にリセットする方法は、そのＬＣＤが一定周期的にリセットされることで、常に、ちらちらとちらつくために、使用者に不快感を与えるという不都合な点があった。
【００１２】
本発明は、このような従来の課題に鑑みてなされたもので、移動端末機のＬＣＤの特定ピンの電圧を感知することで、ＬＣＤにＥＳＤが印加されたかを検出し得る移動端末機ＬＣＤのロックアップ（Ｌｏｃｋ−ｕｐ）防止装置及びその方法を提供することを目的とする。
【００１３】
又、移動端末機のＬＣＤの各ピン中、ＥＳＤにより電圧レベルの変化が一番大きいピンに入力される電圧を感知することで、ＬＣＤが正常状態であるかどうかを確認し、前記ＬＣＤが非正常状態あると、ＬＣＤをリセットしてＥＳＤによりＬＣＤがロックアップ（Ｌｏｃｋ−ｕｐ）されることを防止し得る移動端末機ＬＣＤのロックアップ（Ｌｏｃｋ−ｕｐ）防止装置及びその方法を提供することを目的とする。
【００１４】
【課題を解決するための手段】
本発明の移動端末機ＬＣＤのロックアップ防止装置は、映像をディスプレイするＬＣＤと、該ＬＣＤにＥＳＤ（静電気放電）が印加されたかを検出するＥＳＤ検出部と、該ＥＳＤ検出部から出力されるリセット制御信号によって前記ＬＣＤをリセットする基底帯域チップセット、を包含して構成されることを特徴とする。
【００１５】
前記ＥＳＤ検出部は、前記ＬＣＤの特定ピンに入力されるアナログ電圧をディジタル電圧に変換するアナログ−ディジタル変換器と、該ディジタル電圧が特定範囲に属するかを確認して該ＬＣＤにＥＳＤが印加されたかを判断する判断ロジックと、を包含して構成される。
【００１６】
前記特定ピンは、前記ＬＣＤのピン中、ＥＳＤにより電圧レベルの変化が一番大きいピンを示す。
【００１７】
前記特定範囲は、前記ＬＣＤにＥＳＤが印加されない正常の状態で、上記特定ピンが有し得る電圧レベルの範囲である。
【００１８】
本発明の移動端末機ＬＣＤのロックアップ防止装置は、ＬＣＤのピン中、ＥＳＤにより電圧レベルの変化が一番大きいピンに入力される電圧を感知してＬＣＤにＥＳＤが印加されたかを検出するＥＳＤ検出部と、該ＥＳＤ検出部から出力されるリセット制御信号によって該ＬＣＤをリセットする基底帯域チップセットと、を包含して構成されることを特徴とする。
【００１９】
前記ＥＳＤ検出部は、前記電圧をディジタル電圧に変換するアナログ−ディジタル変換器と、前記ＬＣＤが正常の状態で前記ピンの電圧が有し得る特定範囲に該ディジタル電圧が属するかを確認して、該ＬＣＤにＥＳＤが印加されたかを判断する判断ロジックと、を包含して構成される。
【００２０】
本発明の移動端末機ＬＣＤのロックアップ防止装置は、映像をディスプレイするＬＣＤと、該ＬＣＤのピン中、ＥＳＤにより電圧レベルの変化が一番大きいピンに入力されるアナログ電圧をディジタル電圧に変換するアナログ−ディジタル変換器と、該ＬＣＤが正常の状態で前記ピンの電圧が有し得る特定範囲に該ディジタル電圧が属するかを確認して、該ＬＣＤにＥＳＤが印加されたかを判断する判断ロジックと、該判断ロジックの制御によって該ＬＣＤをリセットする基底帯域チップセットと、を包含して構成されることを特徴とする。
【００２１】
本発明の移動端末機ＬＣＤのロックアップ防止方法は、ＬＣＤの特定ピンのアナログ電圧をディジタル電圧に変換する過程と、該ディジタル電圧を利用して該ＬＣＤにＥＳＤが印加されたかを確認する過程と、該ＬＣＤにＥＳＤが印加されると、該ＬＣＤをリセットする過程と、を順次行うことを特徴とする。
【００２２】
前記特定ピンは、ＬＣＤのピン中、ＥＳＤにより電圧レベルの変化が一番大きいピンを表す。
【００２３】
前記ＬＣＤにＥＳＤが印加されたかを確認する過程は、前記ディジタル電圧が特定範囲に属するかを確認する過程と、該ディジタル電圧が特定範囲に属すると、該ＬＣＤにＥＳＤが印加されなかったと判断して、該ディジタル電圧が特定範囲に属しないと、該ＬＣＤにＥＳＤが印加されたと判断する過程と、を順次行う。
【００２４】
前記特定範囲は、前記ＬＣＤにＥＳＤが印加されない正常の状態で前記特定ピンが有し得る電圧レベル範囲を表す。
【００２５】
このような目的を達成するため、本発明に係る移動端末機ＬＣＤのロックアップ（Ｌｏｃｋ−ｕｐ）防止装置においては、映像をディスプレイするＬＣＤと、該ＬＣＤにＥＳＤが印加されたかを検出するＥＳＤ検出部と、該ＥＳＤ検出部から出力されるリセット制御信号により前記ＬＣＤをリセットする基底帯域チップセット（Ｂａｓｅ  ｂａｎｄ  Ｃｈｉｐ  Ｓｅｔ）と、を包含して構成されることを特徴とする。
【００２６】
又、本発明に係る移動端末機ＬＣＤのロックアップ（Ｌｏｃｋ−ｕｐ）防止装置においては、映像をディスプレイするＬＣＤと、該ＬＣＤのピン中、ＥＳＤにより電圧レベルの変化が一番大きいピンに入力されるアナログ電圧をディジタル電圧に変換するアナログ−ディジタル変換器と、前記ＬＣＤが正常の状態で前記ピンの電圧が有し得る特定範囲に前記ディジタル電圧が属するかを確認して前記ＬＣＤにＥＳＤが印加されたかを判断する判断ロジックと、該判断ロジックの制御により前記ＬＣＤをリセットする基底帯域チップセットと、を包含して構成されることを特徴とする。
【００２７】
且つ、本発明に係る移動端末機ＬＣＤのロックアップ（Ｌｏｃｋ−ｕｐ）防止方法においては、ＬＣＤの特定ピンのアナログ電圧をディジタル電圧に変換する過程と、前記ディジタル電圧を利用して前記ＬＣＤにＥＳＤが印加されたかを確認する過程と、前記ＬＣＤにＥＳＤが印加されると、前記ＬＣＤをリセットする過程と、を順次行うことを特徴とする。
【００２８】
【発明の実施の形態】
以下、本発明の実施の形態に対し、図面を用いて説明する。
【００２９】
本発明に係る移動端末機ＬＣＤのロックアップ（Ｌｏｃｋ−ｕｐ）防止装置においては、図１に示したように、映像をディスプレイするＬＣＤ１００と、ＬＣＤ１００の特定ピンに入力される電圧を感知してＬＣＤ１００にＥＳＤが印加されたかを検出するＥＳＤ検出部２００と、ＥＳＤ検出部２００から出力されるリセット制御信号によりＬＣＤ１００をリセットする基底帯域チップセット（Ｂａｓｅ  ｂａｎｄ  Ｃｈｉｐ  Ｓｅｔ）３００と、を包含して構成されている。
【００３０】
又、上記ＥＳＤ検出部２００は、上記ＬＣＤ１００の特定ピンに入力されるアナログ電圧をディジタル電圧に変換するアナログ−ディジタル変換器２１０と、アナログ−ディジタル変換器２１０から出力されるディジタル電圧が特定範囲に属するかを確認して上記ＬＣＤ１００にＥＳＤが印加されたかを判断する判断ロジック（Ｄｅｃｉｓｉｏｎ  Ｌｏｇｉｃ）２２０と、を包含して構成されてある。
【００３１】
ここで、上記特定ピンは、上記ＬＣＤ１００のピン中、ＥＳＤにより電圧レベルの変化が一番大きいピンを示し、上記特定範囲は、前記ＬＣＤ１００にＥＳＤが印加されない正常の状態で特定ピンが有し得る電圧レベル範囲を示す。
【００３２】
以下、このように構成される本発明に係る移動端末機のＬＣＤのロックアップ（Ｌｏｃｋ−ｕｐ）防止装置の動作に対して、説明する。
【００３３】
上記ＥＳＤ検出部２００の動作においては、図１及び図２（ａ）に示したように、移動端末機のＬＣＤ１００にＥＳＤが印加されると、ＬＣＤ１００の各ピンの電圧が瞬間的に変換される。特に、ＶＲピン（明るさを調節するピン）の電圧はＥＳＤによる電圧レベルの変化が一番大きい。例えば、ＥＳＤが印加されない状態（正常の状態）で、ＶＲピンは約０．９Ｖの電圧を維持するが、ＥＳＤが印加されると、０．４Ｖ以下又は１．５Ｖ以上の電圧レベルを有するようになる。
【００３４】
上記ＶＲピンの電圧は、上記ＬＣＤ１００のＶＳピン（昇圧電圧ピン）に入力される電圧が電圧分配抵抗Ｒ１、Ｒ２により分配された電圧であって、ＶＲピンに入力される電圧（明るさを調節する電圧）によりＬＣＤ１００の明るさが調節される。
【００３５】
次いで、ＥＳＤにより電圧レベルの変化が一番大きいＶＲピンのアナログ電圧をＥＳＤ検出部２００のアナログ−ディジタル変換器２１０は、ディジタル電圧（Ｖｒｄ）に変換する（Ｓ１１）。
【００３６】
次いで、上記判断ロジック２２０は、上記アナログ−ディジタル変換器２１０から出力される上記ディジタル電圧Ｖｒｄが、上記ＬＣＤ１００にＥＳＤが印加されない正常の状態であると判断するための特定範囲に属するかをチェックし（Ｓ１２）、上記ディジタル電圧Ｖｒｄが上記特定範囲に属すると、上記判断ロジック２２０は、上記ＬＣＤ１００が正常の状態であると判断し、ディジタル電圧Ｖｒｄが特定範囲に属しないと、判断ロジック２２０は、ＬＣＤ１００にＥＳＤが印加された状態であると判断する。
【００３７】
即ち、上記ＬＣＤ１００にＥＳＤが印加されない状態で、ＶＲピンの電圧が０．９Ｖである場合、上記判断ロジック２２０は、ＬＣＤ１００にＥＳＤが印加されたと判断するための最小臨界値（Ｔｈｍｉｎ）を０．４Ｖに、最大臨界値（Ｔｈｍａｘ）を１．５Ｖに設定する。上記ディジタル電圧Ｖｒｄが０．４Ｖより大きくて１．５Ｖより小さいと、上記判断ロジック２２０は、上記ＬＣＤ１００にＥＳＤが印加されない状態であると判断して、上記基底帯域チップセット３００に低レベルのリセット制御信号を出力する（Ｓ１３、Ｓ１５）。
【００３８】
併し、上記ディジタル電圧Ｖｒｄが０．４Ｖ以下であるか又は、１．５Ｖ以上であると、上記判断ロジック２２０は、上記ＬＣＤ１００にＥＳＤが印加されたと判断して、上記基底帯域チップセット３００に高レベルのリセット制御信号を出力する（Ｓ１４）。
【００３９】
上記基底帯域チップセット３００の動作は、図２（ｂ）に示したように、汎用入出力ポート（Ｇｌｏｂａｌ  Ｐｏｒｔ  ｆｏｒ  Ｉｎｐｕｔ／Ｏｕｔｐｕｔ；以下、ＧＰＩＯと略称す）を通って上記判断ロジック２２０から入力されるリセット制御信号をチェックする（Ｓ２１）。
【００４０】
次いで、上記リセット制御信号が低レベルであると、上記基底帯域チップセット３００は、上記ＬＣＤ１００が正常の状態であると判断する（Ｓ２２）。
【００４１】
併し、上記リセット制御信号が高レベルであると、上記基底帯域チップセット３００は、上記ＬＣＤ１００が正常の状態でないと判断して、ＬＣＤ１００リセットピン（／ＲＥＳピン）に高レベルのリセット信号を出力して、前記ＬＣＤ１００に低レベルのリセット信号を出力する（Ｓ２３）。次いで、低レベルのリセット信号の入力を受けた上記ＬＣＤ１００はリセットされることで、ＥＳＤ印加による前記ＬＣＤ１００のロックアップ（Ｌｏｃｋ−ｕｐ）が防止される。
【００４２】
このようにして本発明に係る移動端末機のＬＣＤのロックアップ（Ｌｏｃｋ−ｕｐ）防止装置は、ＬＣＤのＶＲピンの電圧を感知することで、ＬＣＤにＥＳＤが印加されたか又は、印加されなかったかを確認することができる。
【００４３】
【発明の効果】
以上説明したように、本発明に係る移動端末機ＬＣＤのロックアップ（Ｌｏｃｋ−ｕｐ）防止装置及びその方法においては、移動端末機のＬＣＤの特定ピンの電圧を感知してＬＣＤにＥＳＤが印加されたかを検出し、ＬＣＤにＥＳＤが印加された状態が検出されると、前記ＬＣＤをリセットすることで、ＬＣＤにＥＳＤが印加された時のみにＬＣＤをリセットし得るという効果がある。
【００４４】
又、本発明に係る移動端末機ＬＣＤのロックアップ（Ｌｏｃｋ−ｕｐ）防止装置及びその方法においては、ＬＣＤを周期的にリセットしないために、ＬＣＤの周期的リセットによってＬＣＤが周期的にちらつくことを無くし得るという効果がある。
【００４５】
且つ、本発明に係る移動端末機ＬＣＤのロックアップ（Ｌｏｃｋ−ｕｐ）防止装置及びその方法においては、ＬＣＤの各ピンに入力される電圧をリミッティングするために複数個のＴＶＳダイオードを具備しなくても良いという効果がある。
【図面の簡単な説明】
【図１】本発明に係る移動端末機ＬＣＤのロックアップ（Ｌｏｃｋ−ｕｐ）防止装置の構成を示したブロック図である。
【図２】（ａ）は、本発明に係るＥＳＤ検出部の動作を、（ｂ）は、本発明に係る基底帯域チップセットの動作を、夫々示したフローチャートである。
【図３】従来の移動端末機ＬＣＤのロックアップ（Ｌｏｃｋ−ｕｐ）防止装置の構成を示したブロック図である。
【符号の説明】
１００  ＬＣＤ
２００  ＥＳＤ検出部
２１０  ＡＤＣ
２２０  判断ロジック
３００  基底帯域チップセット
【図１】
0004146692.tif 000002
【図２】
0004146692.tif 000003
【図３】
0004146692.tif 000004